(57)【要約】【課題】  良好な切断精度と良好な作業性を兼備した軒樋切断治具を提供する。【解決手段】  本発明の軒樋切断治具では、軒樋２の上端耳部１に係止する耳部係止部３を有することにより、軒樋２の外面４に嵌着自在である軒樋切断治具本体５を軒樋２の外形と略同一形状に形成するとともに、軒樋切断治具本体５における耳部係止部３を、上端耳部１から脱着する方向に屈曲可能とし、さらに、軒樋切断治具本体５が軒樋２の外面４に嵌着した際、耳部係止部３が、軒樋２の上端耳部１を把持し得る脱落防止突条６を具備するので、良好な切断精度に加えて、着脱の容易さ等の良好な作業性をも保持し得ることとなる。【選択図】図２
2005273334.tif 000002
【特許請求の範囲】
【請求項１】
上端耳部を有する軒樋の切断に使用する軒樋切断治具であって、前記上端耳部に係止する耳部係止部を有することにより、前記軒樋の外面に嵌着自在である軒樋切断治具本体を前記軒樋の外形と略同一形状に形成するとともに、前記軒樋切断治具本体における前記耳部係止部を、前記上端耳部から脱着する方向に屈曲可能とすることを特徴とする軒樋切断治具。
【請求項２】
前記軒樋切断治具本体が前記軒樋の外面に嵌着した際、前記耳部係止部が、前記上端耳部を把持し得る脱落防止突条を具備することを特徴とする請求項１記載の軒樋切断治具。
【発明の詳細な説明】
【技術分野】
【０００１】
本発明は、軒樋切断治具に関するものである。
【背景技術】
【０００２】
従来より、軒樋の切断加工に際して、切断小口（ここでいう「切断小口」とは、軒樋の長手方向と直交する方向における切り口をいう。「以下、同じ。」）の直線性、直角性等を確保するために使用する軒樋切断治具としては、種々のものが知られているが、良好な切断精度と良好な作業性の兼備という観点からは、未だ満足し得る段階に至っていないのが現状である。例えば、特開２００３−９７００２号公報（特許文献１）には、切断精度向上を図った軒樋切断治具が開示されているが、着脱の容易さ等を含めた良好な作業性という観点からは未だ改善の余地を残すものであった。
【０００３】
具体的には、上記特許文献１の軒樋切断治具においては、切断作業後に軒樋切断治具を外す際に、軒樋に沿って軒樋切断治具を切断小口方向にスライドさせて軒樋切断治具を外すものであるが、この場合において、軒樋切断治具の軒樋外面への嵌着が強過ぎて、軒樋切断治具の切断小口方向へのスライドがし辛いという問題点が解決すべき課題として残されていた。
【特許文献１】特開２００３−９７００２号公報
【発明の開示】
【発明が解決しようとする課題】
【０００４】
本発明は、上記背景技術に鑑みて発明されたものであり、その課題は、良好な切断精度と良好な作業性を兼備した軒樋切断治具を提供することである。
【課題を解決するための手段】
【０００５】
上記課題を解決するために、請求項１に係る発明の軒樋切断治具にあっては、上端耳部を有する軒樋の切断に使用する軒樋切断治具であって、前記上端耳部に係止する耳部係止部を有することにより、前記軒樋の外面に嵌着自在である軒樋切断治具本体を前記軒樋の外形と略同一形状に形成するとともに、前記軒樋切断治具本体における前記耳部係止部を、前記上端耳部から脱着する方向に屈曲可能とすることを特徴とするものである。
【０００６】
請求項２に係る発明の軒樋切断治具にあっては、請求項１記載の軒樋切断治具において、前記軒樋切断治具本体が前記軒樋の外面に嵌着した際、前記耳部係止部が、前記上端耳部を把持し得る脱落防止突条を具備することを特徴とするものである。
【発明の効果】
【０００７】
本発明の軒樋切断治具では、上端耳部を有する軒樋の切断に使用する軒樋切断治具であって、前記上端耳部に係止する耳部係止部を有することにより、前記軒樋の外面に嵌着自在である軒樋切断治具本体を前記軒樋の外形と略同一形状に形成するとともに、前記軒樋切断治具本体における前記耳部係止部を、前記上端耳部から脱着する方向に屈曲可能としているので、良好な切断精度に加えて、着脱の容易さ等の良好な作業性をも保持し得ることとなる。
【発明を実施するための最良の形態】
【０００８】
以下、本発明の実施形態を図面に基づき説明する。なお、本発明の軒樋切断治具は、下記の実施形態にのみ限定されるものではなく、本発明の要旨を逸脱しない範囲内において種々変更を加え得ることは勿論である。ここで、図１は、本発明の一実施形態である軒樋切断治具Ａの構成の概略を模式的に示す斜視図である。一方、図２は、本発明の一実施形態である軒樋切断治具Ａの軒樋への嵌着状態の概略を模式的に示す正面図である。さらに、図３は、本発明の一実施形態である軒樋切断治具Ａの軒樋への嵌着状態の概略を模式的に示す斜視図である。
【０００９】
すなわち、本実施形態の軒樋切断治具Ａは、図１、図２、及び、図３に示すように、上端耳部（ここでは、後側耳部）１を有する軒樋２の切断に使用する軒樋切断治具であって、前記軒樋２の上端耳部１に係止する耳部係止部３を有することにより、軒樋２の外面４に嵌着自在である軒樋切断治具本体５を軒樋２の外形と略同一形状に形成するとともに、軒樋切断治具本体５における耳部係止部３を、前記上端耳部１から脱着する方向に屈曲可能とするものである。さらに、本実施形態の軒樋切断治具Ａでは、前記軒樋切断治具本体５が軒樋２の外面４に嵌着した際、耳部係止部３が、軒樋２の上端耳部１を把持し得る脱落防止突条６を具備することを特徴とするものである。
【００１０】
このように、本実施形態の軒樋切断治具Ａにおいては、耳部係止部３を有し、これが、軒樋２の上端耳部１に係止可能であり、また、軒樋切断治具本体５が、軒樋２の外形と略同一形状に形成されているので、軒樋２の外面４に嵌着自在であるとともに、これに加えて耳部係止部３が、軒樋２の上端耳部１を把持し得る脱落防止突条６を具備するので、軒樋切断治具本体５が軒樋２の外面４に嵌着した際、図２、図３に示すように、軒樋切断治具本体５が軒樋２を的確に把持でき、その結果、確実に切断用ガイド部である立設片７の端縁８を軒樋２の長手方向に対して直角に保持でき、切断小口９の直角性等切断時の寸法精度を充分に確保し得ることとなる。
【００１１】
その一方、本実施形態の軒樋切断治具Ａにおいては、上記脱落防止突条６を具備する耳部係止部３が、軒樋２の上端耳部１から脱着する方向（図２の矢印方向［Ｂ方向］）に屈曲可能に形成されているので、軒樋２に対する軒樋切断治具Ａの着脱が容易となり良好な作業性をも保持し得ることとなる。すなわち、例えば、軒樋２の切断作業後、軒樋２に沿って軒樋切断治具Ａを切断小口９の方向（図３の矢印方向［Ｃ方向］）にスライドさせ、軒樋切断治具Ａを外す際、耳部係止部３を若干程度、屈曲せしめることにより、軒樋２から軒樋切断治具Ａを外す作業が容易になるというものである。
【００１２】
かかる軒樋切断治具Ａの耳部係止部３を構成する材料としては、例えば、軒樋切断治具本体５の耳部係止部３を、軒樋２の対応する上端耳部１を把持し得る脱落防止突条６を介して係止せしめる際のスナップフィットが可能な程度の可撓性を有する材料、より具体的には、塩化ビニール樹脂、ＡＢＳ樹脂等で例示される可撓性を有する合成樹脂材料で形成することが望ましいが、特にこれらのみに限定されるものではなく、上記課題解決に寄与し得る限りにおいて、特に制約のないことはいうまでもない。
【００１３】
このように、本実施形態の軒樋切断治具Ａは、上端耳部１を有する軒樋２の切断に使用する軒樋切断治具であって、軒樋２の上端耳部１に係止する耳部係止部３を有することにより、軒樋２の外面４に嵌着自在である軒樋切断治具本体５を軒樋２の外形と略同一形状に形成するとともに、軒樋切断治具本体５における耳部係止部３を、前記上端耳部１から脱着する方向に屈曲可能とし、さらに、本実施形態の軒樋切断治具Ａでは、前記軒樋切断治具本体５が軒樋２の外面４に嵌着した際、耳部係止部３が、軒樋２の上端耳部１を把持し得る脱落防止突条６を具備するので、良好な切断精度に加えて、着脱の容易さ等の良好な作業性をも保持し得ることとなる。
【００１４】
なお、本実施形態の軒樋切断治具Ａでは、軒樋２の後側の上端耳部１に係止する耳部係止部３を屈曲可能とし、これが脱落防止突条６を具備する構成としたが、本発明の軒樋切断治具では、軒樋２の前側耳部１０に係止する耳部係止部１１を屈曲可能とし、これが脱落防止突条を具備する構成、さらには、後側の上端耳部１、及び前側耳部１０に係止する耳部係止部３、１１をともに屈曲可能とし、脱落防止突条を設ける構成等も当然に可能であり限定されない。
【図面の簡単な説明】
【００１５】
【図１】本発明の一実施形態である軒樋切断治具Ａの構成の概略を模式的に示す斜視図である。
【図２】本発明の一実施形態である軒樋切断治具Ａの軒樋への嵌着状態の概略を模式的に示す正面図である。
【図３】本発明の一実施形態である軒樋切断治具Ａの軒樋への嵌着状態の概略を模式的に示す斜視図である。
【符号の説明】
【００１６】
１    上端耳部［後側耳部］（軒樋２）
２    軒樋
３    耳部係止部（軒樋切断治具本体５）
４    外面（軒樋２）
５    軒樋切断治具本体（軒樋切断治具Ａ）
６    脱落防止突条
７    立設片（軒樋切断治具Ａ）
８    端縁（立設片７）
９    切断小口（軒樋２）
１０    前側耳部（軒樋２）
１１    耳部係止部（軒樋切断治具本体５）
Ａ    軒樋切断治具
【図１】
2005273334.tif 000003
【図２】
2005273334.tif 000004
【図３】
2005273334.tif 000005